(57)【要約】【課題】ゴミや落ち葉を掃き集め袋などに収容する一連の作業において、熊手に加え、塵取り、ゴミ取りトングなど複数の道具を携帯することは不便であった。更に、熊手のみで作業すると、掃き集めた後のゴミを収容するため屈んだ体勢をとらなければならず重労働であり、また直接人の手で扱うと危険なゴミや不衛生なゴミもあり、安全上や衛生上の問題があった。【解決手段】湾曲状固定取付具の各腕部に筒状の持ち手部を設けた二又状の挟み具と、その挟み具に着脱可能な状態で接続された２本の小型熊手を設け、前記の各小型熊手には、筒状の柄を設け、その柄の前部に熊手本体と、熊手本体の先端に爪を設けた。更に、挟み具の各持ち手部に熊手用固定穴とゴミ取りトング用固定穴を設け、各小型熊手の柄に固定バネボタンを設け、一方の柄の前部に柄固定具を備えた。【選択図】図１
2014185503.tif 000002
【特許請求の範囲】
【請求項１】
湾曲状固定取付具の各腕部に筒状の持ち手部を設けた二又状の挟み具と、その挟み具に着脱可能な状態で接続された２本の小型熊手とからなり、前記の各小型熊手には、筒状の柄を設け、その柄の前部に熊手本体と、熊手本体の先端に爪を設けたことを特徴とする熊手式ゴミ取りトング。
【請求項２】
前記二又状の挟み具の各持ち手部に、熊手用固定穴とゴミ取りトング用固定穴を設け、前記各小型熊手の柄に固定バネボタンを設け、一方の柄の前部に柄固定具を備えたことを特徴とする請求項１に記載の熊手式ゴミ取りトング。
【発明の詳細な説明】
【技術分野】
【０００１】  本発明は、ゴミや落ち葉などを掃き集めたり、掴んで収容するための熊手式ゴミ取りトングに関するものである。
【背景技術】
【０００２】  従来、ゴミや落ち葉などを掃き集めるためには熊手を使用し、集めたゴミや落ち葉を袋に収容するためには素手で拾い上げるか、塵取りを使用してすくい上げるか、ゴミ取り用のトングを使用していた。作業する場所や内容に応じて異なる大きさの熊手を使用していた。
【発明の概要】
【発明が解決しようとする課題】
【０００３】  しかしながら、ゴミや落ち葉を掃き集め袋などに収容する一連の作業において、熊手に加え、塵取り、ゴミ取りトングなど複数の道具を携帯することは不便であった。更に、熊手のみで作業すると、掃き集めた後のゴミを収容するため屈んだ体勢をとらなければならず重労働であり、また直接人の手で扱うと危険なゴミや不衛生なゴミもあり、安全上や衛生上の問題があった。
【課題を解決するための手段】
【０００４】  そこで、本発明の熊手式ゴミ取りトングは、湾曲状固定取付具の各腕部に筒状の持ち手部を設けた二又状の挟み具と、その挟み具に着脱可能な状態で接続された２本の小型熊手とからなり、前記の各小型熊手には、筒状の柄を設け、その柄の前部に熊手本体と、熊手本体の先端に爪を設けたことを特徴とする。【０００５】  また、本発明の熊手式ゴミ取りトングは、挟み具の各持ち手部に熊手用固定穴とゴミ取りトング用固定穴を設け、各小型熊手の柄に固定バネボタンを設け、一方の柄の前部に柄固定具を備えたことを特徴とする。
【発明の効果】
【０００６】  本発明の熊手式ゴミ取りトングは、二又状の挟み具に、任意に着脱及び回転可能な２本の小型熊手を備え、更に、その接続部に任意の着脱及び回転を固定する機能を備えたので、３種類の形態の熊手とゴミ取りトングの役割を果たすことができる。その結果、場所や作業内容に適した形態を選択して、効率的に清掃作業を行うことができる。また移動の際に、数多くの道具を携帯する煩わしさから解放される。
【図面の簡単な説明】
【０００７】
【図１】本発明の全体構成を示す斜視図
【図２】熊手形態の使用状態を示す斜視図
【図３】ゴミ取りトング形態の使用状態を示す斜視図
【図４】変形熊手形態の使用状態を示す斜視図
【図５】小型熊手形態の使用状態を示す斜視図
【図６】持ち手部の増設固定用穴を示す斜視図
【図７】左右の熊手本体を示す正面図
【発明を実施するための形態】
【０００８】  図１は本発明の実施の形態に係る熊手式ゴミ取りトングの構成を示す斜視図である。この熊手式ゴミ取りトングは、湾曲状固定取付具４の右腕部５の前部に右持ち手部７を設け、左腕部６の前部に左持ち手部８を設けた二又状の挟み具１と、右柄９の前部に右熊手本体１１を設けた右小型熊手２と、左柄１０の前部に左熊手本体１２を設けた左小型熊手３とからなる。
【０００９】  二又状の挟み具１の各持ち手部７、８には、熊手用固定穴１５、１７が各１個とゴミ取りトング用固定穴１６、１８が各１個設けられており、各柄９、１０の後部には固定用バネボタン１９、２０が各々１個設けられている。
【００１０】  左柄１０の左熊手本体１２の取付部後方に柄固定具２１を設け、各熊手本体１１、１２の先端には複数の爪１３、１４が設けられている。
【００１１】  二又状の挟み具１の湾曲状固定取付具４は、板バネのような反発性のある金属を湾曲状にしたものであり、この湾曲状固定取付具４の各腕部５、６の前部内側に、各持ち手部７、８の後部をリベット２３か溶接により固定する。各持ち手部７、８は反発性のある湾曲状固定取付具４の各腕部５、６に固定されるため、常に八の字に開いた状態が保持されるが、湾曲状固定取付具４の反発力は、軽く握る力で各持ち手部７、８を閉じることのできる程度の軽い力とする。また二又状の挟み具１の各持ち手部７、８は、トングとしての使用を考慮して、角度にして２５度前後、常に八の字に開いている状態が望ましい。
【００１２】  各持ち手部７、８と各柄９、１０は、アルミニウムや鉄などの金属製の円筒状のものであり、各柄９、１０の外径は各持ち手部７、８の内径より若干小さいものとすることにより、各持ち手部７、８の筒内部に各柄９、１０の後部を挿入することが可能となり、結果として挟み具１の各持ち手部７、８に各小型熊手２、３を接続させたり、接続した状態で各小型熊手２、３のみを回転させることが可能である。
【００１３】  各持ち手部７、８に挿入した各小型熊手２、３を接続、固定するため、各柄９、１０の後部上面の円筒中心上に各固定バネボタン１９、２０を設け、各持ち手部７、８の上面かつ円筒中心上に熊手用固定穴１５、１７を設け、右持ち手部７は右側面かつ円筒中心上にゴミ取りトング用固定穴１６を設け、左持ち手部８は左側面かつ円筒中心上にゴミ取りトング用固定穴１８を設ける。各固定穴１５、１６、１７、１８の直径は、各柄９、１０の後部に設けられた各固定バネボタン１９、２０の直径より若干大きめのものとし、挟み具１の各持ち手部７、８の筒内部に各柄９、１０の後部に設けられた各固定バネボタン１９、２０を押し込んだ状態で挿入し、その各固定バネボタン１９、２０の位置と持ち手部７、８の各固定穴１５、１６、１７、１８の位置をそろえることにより、各固定バネボタン１９、２０がバネの反発により各固定穴１５、１６、１７、１８より突起し、固定されるものとする。
【００１４】  各固定穴１５、１６、１７、１８と各固定バネボタン１９、２０を設ける位置及び位置関係は、各持ち手部７、８と各柄９、１０の接続部の強度が確保される範囲で適宜決定するが、閉じた状態の水平位置の挟み具１に対して、各小型熊手２、３の右爪１３と左爪１４が水平かつ同一方向で揃う、つまり熊手形態で固定できること、開いた状態の水平方向の挟み具１に対して、各小型熊手２，３の右爪１３と左１４が垂直かつ相対方向となる、つまりゴミ取りトング形態に固定できるものとする。更に閉じた状態の水平位置の挟み具１に対して、左小型熊手３を水平、右小型熊手２を垂直にというような組み合わせにより、９０度の角度で熊手本体１１、１２を固定することが可能である。この形態はゴミなどを囲い込み逃さないため、窪地や側溝のような地形で有効である。
【００１５】  各持ち手部７、８の熊手用固定穴１５、１７及びゴミ取りトング用固定穴１６、１８を設ける数は、持ち手部７、８の長さにより適宜決定し、柄９，１０との接続部の強度が確保される範囲で、図６のように、熊手用固定穴３０とゴミ取りトング用固定穴３１を増設することができ、この熊手式ゴミ取りトングに伸縮機能を備えることができる。
【００１６】  柄固定具２１は樹脂製又は金属製であり、取り付け位置は、左柄１０の熊手本体１２の取付部により近い位置とし、熊手形態あるいは変形熊手形態で、各柄９、１０を連結固定するもので、固定はリベットなどにより行う。柄固定具２１のＣ型取付具２２の内径は、柄９の外形より若干小さいものとし、開口部を設ける。柄固定具２１は、熊手形態及び変形熊手形態での使用の際に、各柄９、１０を固定すると同時に、熊手本体１１、１２を固定し、ゴミを掃き集める際に熊手本体１１、１２の爪１３、１４にかかる圧力により、左右の小型熊手２、３が分離することを防ぐ役割を持つ。
【００１７】  熊手本体１１、１２と爪１３、１４は樹脂製又は金属製であり、柄９、１０の前部にリベット２３かネジなどにより固定され、熊手本体１１、１２の先端には複数の爪１３、１４が設けられている。熊手本体１１、１２の形状は、図７（後方よりの視点のため、左右が逆である）のように、従来の扇状の熊手を中心線より左右に二等分に分割した形状とし、熊手本体１１、１２を柄９、１０に取付固定する場合は、水平位置の挟み具１に対して各爪１３、１４が水平かつ同じく下方向に揃う熊手形態で行う。但し、この熊手本体１１、１２の取付方向は、挟み具１の各持ち手部７、８の各固定穴１５、１６、１７、１８と各柄９、１０の固定バネボタン１９、２０の位置を考慮しながら適宜決定する。更に、挟み具１を閉じた際に、右熊手本体１１の左側面と左熊手本体１２の右側面が干渉しないように、かつ各熊手本体１１、１２の中間に大きな隙間が生じないよう、右柄９の左側面延長線上に右熊手本体１１の左側面を寄せ、左柄１０の右側面延長線上に左熊手本体１２の右側面を寄せて固定する。
【００１８】  柄９、１０と熊手本体１１、１２よりなる小型熊手２、３は、二又状の挟み具１より取り外しが可能であり、小型熊手２、３のみで本来の半分の大きさの熊手として各々単独で使用することができる。
【００１９】  この熊手式ゴミ取りトングは、二又状の挟み具１の各持ち手部７、８の前部に熊手本体１１、１２の爪１３、１４の方向を変える、回転式および着脱式の柄９、１０を設けたので、４つの形態に変化し作業を効率的に行うことができる。図２のように、本来の熊手としての使用や、図３のように、ゴミ取りトングとして使用することができる。また図４のように、左小型熊手３を熊手状態、右小型熊手２をゴミ取りトング状態に設定すると、窪地や側溝に溜まったゴミや落ち葉を掃き集めたり取り出す作業をより効率的に行える。狭い場所の作業や手元のゴミを集める場合には、図５のように、挟み具１より取り外した小型熊手２、３を使用すると便利である。各形態への移行は、各固定用バネボタン１９、２０と各固定穴１５、１６、１７、１８を使用して簡潔に行えるため、誰でも簡単にこの熊手式ゴミ取りトングを扱うことができる。
【００２０】  一般的な作業を例にこの熊手式ゴミ取りトングの使用方法を説明する。基本的にこの熊手式ゴミ取りトングの右部、左部の扱いは類似しているので、操作の説明は左右を集約して行う。
【００２１】  熊手として使用する場合は、挟み具１の持ち手部７、８の筒内に挿入した小型熊手２、３の柄９、１０の固定用バネボタン１９、２０を、持ち手部７、８の熊手用固定穴１５、１７に合わせて固定バネボタン１９、２０を突起させて固定し、左柄１０に設けられた柄固定具２１のＣ型取付具２２に右柄９をはめ込んで固定する。これにより左右の小型熊手２、３は熊手の形態に設定され、ゴミや落ち葉を掃き集めることができる。
【００２２】  次に、掃き集めたゴミや落ち葉をゴミ袋等に収容するため、熊手形態からゴミ取りトング形態への移行手順を説明する。柄固定具２１から固定された右柄９を引き離し、熊手用固定穴１５、１７の小型熊手２、３の柄９，１０の固定バネボタン１９、２０を指で押し込み固定を解除すると同時に回転させ、ゴミ取りトング用固定穴１６、１８の位置で固定する。これにより左右の小型熊手２，３の爪１３、１４は相対方向に固定され、挟み具１の各持ち手部７、８を握ると左右の熊手本体１１、１２と爪１３、１４によりゴミを掴んでゴミ袋などに収容することができる。挟み具１は上部の湾曲状固定取付具４の反発力により常に八の字に開くため、ゴミを掴んだり放すことが容易である。
【００２３】  次にゴミ取りトング形態から、窪地や側溝などでの使用を想定した形態への移行手順を説明する。左小型熊手３の柄１０に柄固定具２１が設けられているため、左柄１０の固定バネボタン２０を指で押し込みながら回転させ、ゴミ取りトング用固定穴１８から解除し、熊手用固定穴１７に合わせて固定する。右小型熊手２の固定バネボタン１９は、ゴミ取りトング用固定穴１５に固定したままの状態を維持し、右柄９を柄固定具２１のＣ型取付具２２にはめ込み固定する。これにより左右の小型熊手２、３は９０度の内向きの角度で固定されるためゴミや落ち葉を囲い込み逃さず、窪地や側溝のような地形で、ゴミをすくい上げる有効な道具となる。
【００２４】  長柄が邪魔となる場所や大きな熊手の入らない狭い場所や手元のゴミを掃き集める作業においては、左右の小型熊手２、３を単体で使用することが有効である。そのために小型熊手２、３の柄９、１０の固定バネボタン１９、２０を、挟み具１の各固定穴１５、１６、１７、１８から解除すると同時に引き抜くことにより、小型熊手２、３を独立させ使用する。
【符号の説明】
【００２５】  １挟み具、２右小型熊手、３左小型熊手、４湾曲状固定取付具、７右持ち手部、８左持ち手部、９右柄、１０左柄、１１右熊手本体、１２左熊手本体、１３右爪、１４左爪、１５右熊手用固定穴、１６右ゴミ取りトング用固定穴、１７左熊手用固定穴、１８左ゴミ取りトング用固定穴、１９右固定バネボタン、２０左固定バネボタン、２１柄固定具
【図１】
2014185503.tif 000003
【図２】
2014185503.tif 000004
【図３】
2014185503.tif 000005
【図４】
2014185503.tif 000006
【図５】
2014185503.tif 000007
【図６】
2014185503.tif 000008
【図７】
2014185503.tif 000009